(57)【要約】【課題】電源電圧の変動によるノイズを低減することができる固体撮像装置および内視鏡装置を提供する。【解決手段】第1の期間において、第1の転送部102は信号電荷を転送する。第1の期間と異なる第2の期間において、リセット部106は信号電荷をリセットする。第2の期間よりも後の第3の期間において、選択部108は、リセットされた信号電荷に応じた第1の信号を出力する。第1の期間および第3の期間よりも後の第4の期間において、第2の転送部104は信号電荷を転送する。第4の期間よりも後の第5の期間において、選択部108は、転送された信号電荷に応じた第2の信号を出力する。複数の光電変換部101の配列の第1の列に係る第1の信号と第2の信号とが出力された後、第1の列と異なる第2の列に係る第1の信号と第2の信号とが出力される。【選択図】図１
2015216458.tif 000002
【特許請求の範囲】
【請求項１】
入射した光の大きさに応じた信号電荷を生成する、行列状に配置された複数の光電変換部と、
前記信号電荷を蓄積する第1の蓄積部と、
前記信号電荷を前記光電変換部から前記第1の蓄積部に転送する第1の転送部と、
前記第1の蓄積部に蓄積された前記信号電荷を蓄積する第2の蓄積部と、
前記第1の蓄積部に蓄積された前記信号電荷を前記第2の蓄積部に転送する第2の転送部と、
前記第2の蓄積部に蓄積されている前記信号電荷をリセットするリセット部と、
前記第2の蓄積部に蓄積された前記信号電荷に応じた信号を出力信号線に出力する出力部と、
前記複数の光電変換部の配列の列ごとに前記第2の転送部と、前記リセット部と、前記出力部とを制御する第1の制御部と、
前記配列の行ごとに前記第1の転送部を制御する第2の制御部と、
を有し、
第1の期間において、前記第1の転送部は前記信号電荷を転送し、
前記第1の期間と異なる第2の期間において、前記リセット部は前記信号電荷をリセットし、
前記第2の期間よりも後の第3の期間において、前記出力部は、リセットされた前記信号電荷に応じた第1の信号を出力し、
前記第1の期間および前記第3の期間よりも後の第4の期間において、前記第2の転送部は前記信号電荷を転送し、
前記第4の期間よりも後の第5の期間において、前記出力部は、転送された前記信号電荷に応じた第2の信号を出力し、
前記配列の第1の列に係る前記第1の信号と前記第2の信号とが出力された後、前記第1の列と異なる第2の列に係る前記第1の信号と前記第2の信号とが出力される
固体撮像装置。
【請求項２】
前記第1の蓄積部は、前記複数の光電変換部の各々に対応して配置された第1の容量を有し、
前記第1の転送部は、前記複数の光電変換部の各々に対応して配置された第1のトランジスタを有し、
前記第2の蓄積部は、前記複数の光電変換部の各々に対応して配置された第2の容量を有し、
前記第2の転送部は、前記複数の光電変換部の各々に対応して配置された第2のトランジスタを有し、
前記リセット部は、前記複数の光電変換部の各々に対応して配置された第3のトランジスタを有し、
前記出力部は、前記複数の光電変換部の各々に対応して配置された第4のトランジスタを有する、
請求項1に係る固体撮像装置。
【請求項３】
前記第1の蓄積部は、前記複数の光電変換部の各々に対応して配置された第1の容量を有し、
前記第1の転送部は、前記複数の光電変換部の各々に対応して配置された第1のトランジスタを有し、
前記第2の蓄積部は、前記複数の光電変換部のうち前記配列の行方向に隣接する2つの光電変換部に共通に対応して配置された第2の容量を有し、
前記第2の転送部は、前記複数の光電変換部の各々に対応して配置された第2のトランジスタを有し、
前記リセット部は、前記複数の光電変換部のうち前記配列の行方向に隣接する2つの光電変換部に共通に対応して配置された第3のトランジスタを有し、
前記出力部は、前記複数の光電変換部のうち前記配列の行方向に隣接する2つの光電変換部に共通に対応して配置された第4のトランジスタを有する、
請求項1に係る固体撮像装置。
【請求項４】
前記第1の転送部は、前記複数の光電変換部の各々に対応して配置された第1のトランジスタを有し、
前記第2の蓄積部は、前記複数の光電変換部のうち前記配列の列方向に隣接する2つの光電変換部に共通に対応して配置された第2の容量を有し、
前記リセット部は、前記複数の光電変換部のうち前記配列の列方向に隣接する2つの光電変換部に共通に対応して配置された第3のトランジスタを有し、
前記出力部は、前記複数の光電変換部のうち前記配列の列方向に隣接する2つの光電変換部に共通に対応して配置された第4のトランジスタを有する、
請求項1に係る固体撮像装置。
【請求項５】
前記第1の蓄積部は、前記複数の光電変換部の各々に対応して配置された第1の容量を有し、
前記第2の転送部は、前記複数の光電変換部の各々に対応して配置された第2のトランジスタを有する、
請求項4に係る固体撮像装置。
【請求項６】
前記第1の蓄積部は、前記複数の光電変換部のうち前記配列の列方向に隣接する2つの光電変換部に共通に対応して配置された第1の容量を有し、
前記第2の転送部は、前記複数の光電変換部のうち前記配列の列方向に隣接する2つの光電変換部に共通に対応して配置された第2のトランジスタを有する、
請求項4に係る固体撮像装置。
【請求項７】
前記配列の第1の列に係る前記第1の信号が出力されるのと同時に、前記第1の列に隣接する第2の列に係る前記信号電荷がリセットされ、続いて、前記第1の列に係る前記第2の信号が出力された後、前記第2の列に係る前記第1の信号と前記第2の信号とが出力される、
請求項2、請求項5、請求項6のいずれか一項に係る固体撮像装置。
【請求項８】
前記第1の蓄積部は、前記複数の光電変換部の各々に対応して配置された第1の容量を有し、
前記第1の転送部は、前記複数の光電変換部の各々に対応して配置された第1のトランジスタを有し、
前記第2の蓄積部は、前記複数の光電変換部のうち前記配列の行方向および列方向に隣接する4つの光電変換部に共通に対応して配置された第2の容量を有し、
前記第2の転送部は、前記複数の光電変換部の各々に対応して配置された第2のトランジスタを有し、
前記リセット部は、前記複数の光電変換部のうち前記配列の行方向および列方向に隣接する4つの光電変換部に共通に対応して配置された第3のトランジスタを有し、
前記出力部は、前記複数の光電変換部のうち前記配列の行方向および列方向に隣接する4つの光電変換部に共通に対応して配置された第4のトランジスタを有する、
請求項1に係る固体撮像装置。
【請求項９】
前記配列の第1の列に係る前記第1の信号と前記第2の信号とが出力された後、前記第1の列に隣接する第2の列に係る前記第1の信号と前記第2の信号とが出力される、
請求項3または請求項8に係る固体撮像装置。
【請求項１０】
前記配列の偶数列および奇数列の一方である第1の列に係る前記信号電荷と、偶数列および奇数列の他方である第2の列に係る前記信号電荷とが同時にリセットされた後、前記第1の列に係る前記第1の信号と前記第2の信号とが出力され、続いて、前記第2の列に係る前記第1の信号と前記第2の信号とが出力される、
請求項3または請求項8に係る固体撮像装置。
【請求項１１】
請求項1に記載の固体撮像装置を備える内視鏡装置。
【発明の詳細な説明】
【技術分野】
【０００１】
本発明は、固体撮像装置と、固体撮像装置を用いた内視鏡装置とに関する。
【背景技術】
【０００２】
固体撮像装置として、CMOS型（Complementary Metal-Oxide Semiconductor）固体撮像装置が知られている。CMOS型固体撮像装置の一例として、高画質化のために画素部で発生するノイズを低減する構成が特許文献1に開示されている。はじめに、特許文献1に開示された固体撮像装置の構成および動作について説明する。
【０００３】
図15は、従来の固体撮像装置200の構成例を示している。図15に示すように、固体撮像装置200は、画素11Aと、負荷トランジスタ31と、固定トランジスタ32とを有する。固体撮像装置200では、複数の画素11Aが行列状に配置されている。図15では代表として1つの画素11Aが示されている。画素11Aは、フォトダイオード21と、転送トランジスタ22と、リセットトランジスタ23と、増幅トランジスタ24と、選択トランジスタ25とを有する。
【０００４】
フォトダイオード21は、入射した光の大きさに応じた信号電荷を生成する。転送トランジスタ22は、フォトダイオード21で生成された信号電荷をフローティングディフュージョンFDに転送する。転送トランジスタ22の動作は、転送配線26に供給される転送パルスTRFによって制御される。リセットトランジスタ23は、フローティングディフュージョンFDに蓄積されている信号電荷をリセットする。リセットトランジスタ23の動作は、リセット配線28に供給されるリセットパルスRSTによって制御される。増幅トランジスタ24は、フローティングディフュージョンFDに蓄積された信号電荷に応じた信号を増幅する。選択トランジスタ25は、増幅トランジスタ24から出力される信号を選択し、選択された信号を垂直信号線121に出力する。選択トランジスタ25の動作は、選択配線29に供給される選択パルスSELによって制御される。
【０００５】
負荷トランジスタ31と固定トランジスタ32とは垂直信号線121に接続されている。負荷トランジスタ31の動作は、ロードパルスLOADによって制御される。固定トランジスタ32の動作は、固定パルスFIXによって制御される。
【０００６】
図16は、固体撮像装置200の動作例を示している。図16では、ロードパルスLOADと、固定パルスFIXと、選択パルスSELと、リセットパルスRSTと、転送パルスTRFとの波形が示されている。また、図16では、垂直信号線121の電位が示されている。図16の横方向が時間を示し、図16の縦方向が電圧を示している。
【０００７】
固定トランジスタ32のソースは垂直信号線121に接続されている。固定トランジスタ32のドレインは電圧Vmid（1.5V）に接続されている。電圧Vmidは、電源電圧VDDよりも低い電圧である。固体撮像装置200では、ある行の画素11Aの動作が終了し、次の行の画素11Aの動作が開始される前（リセットが行われる前）までに、固定パルスFIXがLowからHighに変化することによって、固定トランジスタ32がON状態となる。これによって、垂直信号線121の電位がVmidとなる。
【０００８】
その後、次の行の画素11Aが動作を開始する。ロードパルスLOADがLowからHighに変化することによって、負荷トランジスタ31がON状態となる。同時に、選択パルスSELがLowからHighに変化することによって、選択トランジスタ25がON状態となる。同時に、リセットパルスRSTがLowからHighに変化することによって、リセットトランジスタ23がON状態となる。これによって、フローティングディフュージョンFDに蓄積されている信号電荷がリセットされる。
【０００９】
その後、リセットパルスRSTがHighからLowに変化することによって、リセットトランジスタ23がOFF状態となる。これによって、リセットレベルの信号が垂直信号線121に出力される。その後、転送パルスTRFがLowからHighに変化することによって、転送トランジスタ22がON状態となる。これによって、フォトダイオード21で生成された信号電荷がフローティングディフュージョンFDに転送される。
【００１０】
その後、転送パルスTRFがHighからLowに変化することによって、転送トランジスタ22がOFF状態となる。これによって、信号レベルの信号が垂直信号線121に出力される。その後、ロードパルスLOADがHighからLowに変化することによって、負荷トランジスタ31がOFF状態となる。同時に、選択パルスSELがHighからLowに変化することによって、選択トランジスタ25がOFF状態となる。その後、固定パルスFIXがHighからLowに変化することによって、固定トランジスタ32がOFF状態となる。
【００１１】
上記の動作では、垂直信号線121の電位が0Vから電圧Vmidに変化した後、リセットレベルの信号が垂直信号線121に出力される。一方、固定トランジスタ32がない場合、リセットレベルの信号が垂直信号線121に出力されたときに垂直信号線121の電位が0Vからリセットレベルに変化する。このため、固定トランジスタ32がない場合と比較して、図16の期間T1において、リセットによる垂直信号線121の電位の変化が小さくなる。
【００１２】
固体撮像装置200では、固定トランジスタ32が設けられているため、垂直信号線121と寄生容量とによって容量結合している画素のウェルの電位の変動（揺れ）が抑制される。したがって、画素のウェル電位の変動（揺れ）が原因で発生するノイズやシェーディングが低減される。
【先行技術文献】
【特許文献】
【００１３】
【特許文献１】特許第4403387号公報
【発明の概要】
【発明が解決しようとする課題】
【００１４】
従来の固体撮像装置200では、画素を行単位で駆動して信号を読み出す方式が適用されている。この方式では、同一行に配置された全ての画素において、図16に示す動作が同時に行われる。図16の期間T11では、画素の配列の列ごとに、各列の垂直信号線121に出力されたリセットレベルの信号が水平方向に順次読み出される。同様に、図16の期間T12では、画素の配列の列ごとに、各列の垂直信号線121に出力された信号レベルの信号が水平方向に順次読み出される。つまり、同一の画素のリセットレベルの信号と信号レベルの信号との読み出しの間に、他の複数の画素のリセットレベルまたは信号レベルの信号の読み出しが行われる。
【００１５】
上記の方式では、同一の画素のリセットレベルの信号の読み出しタイミングと信号レベルの信号の読み出しタイミングとに数μsの時間差がある。このため、それらのタイミングの間に電源電圧VDDが低周波で変動した（揺れた）場合、その変動が原因で、画素から出力される信号にノイズ（誤差）が重畳されることがある。以下に、詳細を説明する。
【００１６】
図17は、従来の固体撮像装置200において、電源電圧VDDが変動した（揺れた）場合の動作例を示している。図17では、電源電圧VDDと、リセットパルスRSTと、転送パルスTRFとの波形が示されている。また、図17では、垂直信号線121の電位が示されている。図17の横方向が時間を示し、図17の縦方向が電圧を示している。
【００１７】
比較のために、電源電圧VDDが変動しない場合の垂直信号線121の電位が破線で示されている。信号の読み出し期間に電源電圧VDDが変動した場合、電源電圧VDDの変動に伴い垂直信号線121の電位が変動する。図17では、垂直信号線121の電位が低下する例が示されている。その結果、信号の読み出し期間に電源電圧VDDが変動しない場合と比較して、垂直信号線121の電位にΔVだけノイズ（誤差）が発生する。
【００１８】
上記の電源電圧の変動によるノイズは、内視鏡の先端に固体撮像装置が搭載され、細径のケーブルで電源電圧などを供給する内視鏡システムでより顕著である。
【００１９】
本発明は、電源電圧の変動によるノイズを低減することができる固体撮像装置および内視鏡装置を提供する。
【課題を解決するための手段】
【００２０】
本発明は、入射した光の大きさに応じた信号電荷を生成する、行列状に配置された複数の光電変換部と、前記信号電荷を蓄積する第1の蓄積部と、前記信号電荷を前記光電変換部から前記第1の蓄積部に転送する第1の転送部と、前記第1の蓄積部に蓄積された前記信号電荷を蓄積する第2の蓄積部と、前記第1の蓄積部に蓄積された前記信号電荷を前記第2の蓄積部に転送する第2の転送部と、前記第2の蓄積部に蓄積されている前記信号電荷をリセットするリセット部と、前記第2の蓄積部に蓄積された前記信号電荷に応じた信号を出力信号線に出力する出力部と、前記複数の光電変換部の配列の列ごとに前記第2の転送部と、前記リセット部と、前記出力部とを制御する第1の制御部と、前記配列の行ごとに前記第1の転送部を制御する第2の制御部と、を有し、第1の期間において、前記第1の転送部は前記信号電荷を転送し、前記第1の期間と異なる第2の期間において、前記リセット部は前記信号電荷をリセットし、前記第2の期間よりも後の第3の期間において、前記出力部は、リセットされた前記信号電荷に応じた第1の信号を出力し、前記第1の期間および前記第3の期間よりも後の第4の期間において、前記第2の転送部は前記信号電荷を転送し、前記第4の期間よりも後の第5の期間において、前記出力部は、転送された前記信号電荷に応じた第2の信号を出力し、前記配列の第1の列に係る前記第1の信号と前記第2の信号とが出力された後、前記第1の列と異なる第2の列に係る前記第1の信号と前記第2の信号とが出力される固体撮像装置である。
【００２１】
また、本発明の固体撮像装置において、前記第1の蓄積部は、前記複数の光電変換部の各々に対応して配置された第1の容量を有し、前記第1の転送部は、前記複数の光電変換部の各々に対応して配置された第1のトランジスタを有し、前記第2の蓄積部は、前記複数の光電変換部の各々に対応して配置された第2の容量を有し、前記第2の転送部は、前記複数の光電変換部の各々に対応して配置された第2のトランジスタを有し、前記リセット部は、前記複数の光電変換部の各々に対応して配置された第3のトランジスタを有し、前記出力部は、前記複数の光電変換部の各々に対応して配置された第4のトランジスタを有する。
【００２２】
また、本発明の固体撮像装置において、前記第1の蓄積部は、前記複数の光電変換部の各々に対応して配置された第1の容量を有し、前記第1の転送部は、前記複数の光電変換部の各々に対応して配置された第1のトランジスタを有し、前記第2の蓄積部は、前記複数の光電変換部のうち前記配列の行方向に隣接する2つの光電変換部に共通に対応して配置された第2の容量を有し、前記第2の転送部は、前記複数の光電変換部の各々に対応して配置された第2のトランジスタを有し、前記リセット部は、前記複数の光電変換部のうち前記配列の行方向に隣接する2つの光電変換部に共通に対応して配置された第3のトランジスタを有し、前記出力部は、前記複数の光電変換部のうち前記配列の行方向に隣接する2つの光電変換部に共通に対応して配置された第4のトランジスタを有する。
【００２３】
また、本発明の固体撮像装置において、前記第1の転送部は、前記複数の光電変換部の各々に対応して配置された第1のトランジスタを有し、前記第2の蓄積部は、前記複数の光電変換部のうち前記配列の列方向に隣接する2つの光電変換部に共通に対応して配置された第2の容量を有し、前記リセット部は、前記複数の光電変換部のうち前記配列の列方向に隣接する2つの光電変換部に共通に対応して配置された第3のトランジスタを有し、前記出力部は、前記複数の光電変換部のうち前記配列の列方向に隣接する2つの光電変換部に共通に対応して配置された第4のトランジスタを有する。
【００２４】
また、本発明の固体撮像装置において、前記第1の蓄積部は、前記複数の光電変換部の各々に対応して配置された第1の容量を有し、前記第2の転送部は、前記複数の光電変換部の各々に対応して配置された第2のトランジスタを有する。
【００２５】
また、本発明の固体撮像装置において、前記第1の蓄積部は、前記複数の光電変換部のうち前記配列の列方向に隣接する2つの光電変換部に共通に対応して配置された第1の容量を有し、前記第2の転送部は、前記複数の光電変換部のうち前記配列の列方向に隣接する2つの光電変換部に共通に対応して配置された第2のトランジスタを有する。
【００２６】
また、本発明の固体撮像装置において、前記配列の第1の列に係る前記第1の信号が出力されるのと同時に、前記第1の列に隣接する第2の列に係る前記信号電荷がリセットされ、続いて、前記第1の列に係る前記第2の信号が出力された後、前記第2の列に係る前記第1の信号と前記第2の信号とが出力される。
【００２７】
また、本発明の固体撮像装置において、前記第1の蓄積部は、前記複数の光電変換部の各々に対応して配置された第1の容量を有し、前記第1の転送部は、前記複数の光電変換部の各々に対応して配置された第1のトランジスタを有し、前記第2の蓄積部は、前記複数の光電変換部のうち前記配列の行方向および列方向に隣接する4つの光電変換部に共通に対応して配置された第2の容量を有し、前記第2の転送部は、前記複数の光電変換部の各々に対応して配置された第2のトランジスタを有し、前記リセット部は、前記複数の光電変換部のうち前記配列の行方向および列方向に隣接する4つの光電変換部に共通に対応して配置された第3のトランジスタを有し、前記出力部は、前記複数の光電変換部のうち前記配列の行方向および列方向に隣接する4つの光電変換部に共通に対応して配置された第4のトランジスタを有する。
【００２８】
また、本発明の固体撮像装置において、前記配列の第1の列に係る前記第1の信号と前記第2の信号とが出力された後、前記第1の列に隣接する第2の列に係る前記第1の信号と前記第2の信号とが出力される。
【００２９】
また、本発明の固体撮像装置において、前記配列の偶数列および奇数列の一方である第1の列に係る前記信号電荷と、偶数列および奇数列の他方である第2の列に係る前記信号電荷とが同時にリセットされた後、前記第1の列に係る前記第1の信号と前記第2の信号とが出力され、続いて、前記第2の列に係る前記第1の信号と前記第2の信号とが出力される。
【００３０】
また、本発明は、上記の固体撮像装置を備える内視鏡装置である。
【発明の効果】
【００３１】
本発明によれば、第1の列に係る第1の信号と第2の信号とが出力された後、第2の列に係る第1の信号と第2の信号とが出力される。これによって、複数の光電変換部の配列の同一の列について、第1の信号の読み出しタイミングと、第2の信号の読み出しタイミングとの差を小さくすることが可能となる。このため、電源電圧の変動によるノイズを低減することができる。
【図面の簡単な説明】
【００３２】
【図１】本発明の第1の実施形態による固体撮像装置の構成例を示す回路図である。
【図２】本発明の第1の実施形態による固体撮像装置の動作例を示すタイミングチャートである。
【図３】本発明の第1の実施形態による固体撮像装置の動作例を示すタイミングチャートである。
【図４】本発明の第1の実施形態の変形例による固体撮像装置の構成例を示す回路図である。
【図５】本発明の第2の実施形態による固体撮像装置の構成例を示す回路図である。
【図６】本発明の第2の実施形態による固体撮像装置の第1の動作例を示すタイミングチャートである。
【図７】本発明の第2の実施形態による固体撮像装置の第2の動作例を示すタイミングチャートである。
【図８】本発明の第3の実施形態による固体撮像装置の構成例を示す回路図である。
【図９】本発明の第3の実施形態による固体撮像装置の動作例を示すタイミングチャートである。
【図１０】本発明の第4の実施形態による固体撮像装置の構成例を示す回路図である。
【図１１】本発明の第4の実施形態による固体撮像装置の動作例を示すタイミングチャートである。
【図１２】本発明の第5の実施形態による固体撮像装置の構成例を示す回路図である。
【図１３】本発明の第5の実施形態による固体撮像装置の動作例を示すタイミングチャートである。
【図１４】本発明の第6の実施形態による内視鏡装置の構成例を示すブロック図である。
【図１５】従来の固体撮像装置の構成例を示す回路図である。
【図１６】従来の固体撮像装置の動作例を示すタイミングチャートである。
【図１７】従来の固体撮像装置における垂直信号線の電位の変動を説明するためのタイミングチャートである。
【発明を実施するための形態】
【００３３】
以下、図面を参照し、本発明の実施形態を説明する。
【００３４】
（第1の実施形態）
まず、本発明の第1の実施形態を説明する。図1は、本実施形態による固体撮像装置100Aの構成例を示している。図1に示すように、固体撮像装置100Aは、光電変換部101と、第1の転送部102と、第1の蓄積部103と、第2の転送部104と、第2の蓄積部105と、リセット部106と、増幅部107と、選択部108と、出力スイッチ110と、I-V変換部111と、水平選択部112と、垂直選択部113とを有する。
【００３５】
固体撮像装置100Aでは、複数の光電変換部101が行列状に配置されている。図1では代表として2つの光電変換部101が示されている。第1の転送部102と、第1の蓄積部103と、第2の転送部104と、第2の蓄積部105と、リセット部106と、増幅部107と、選択部108とは、複数の光電変換部101の配列の行ごとかつ列ごとに配置されている。
【００３６】
光電変換部101と、第1の転送部102と、第1の蓄積部103と、第2の転送部104と、第2の蓄積部105と、リセット部106と、増幅部107と、選択部108とは1つの画素を構成する。固体撮像装置100Aでは、複数の画素が行列状に配置されている。図1では代表として1行m列目の画素と1行m+1列目の画素とが示されている。mは1以上の自然数である。
【００３７】
光電変換部101は、入射した光の大きさに応じた信号電荷を生成する。光電変換部101は、フォトダイオードとして構成されている。光電変換部101の第1端はグランドに接続されている。
【００３８】
第1の転送部102は、光電変換部101で生成された信号電荷を光電変換部101から第1の蓄積部103に転送する。第1の転送部102は、複数の光電変換部101の各々に対応して配置されたトランジスタ（第1のトランジスタ）として構成されている。第1の転送部102のドレインは光電変換部101の第2端に接続されている。第1の転送部102の動作は、垂直選択部113から第1の転送部102のゲートに供給される制御信号である第1の転送パルスΦTXVによって制御される。図1では、代表として、1行目の第1の転送部102に供給される第1の転送パルスΦTXV1が示されている。
【００３９】
第1の蓄積部103は、第1の転送部102によって転送された信号電荷を蓄積する。第1の蓄積部103は、複数の光電変換部101の各々に対応して配置された容量（第1の容量）として構成されている。第1の蓄積部103の第1端は第1の転送部102のソースに接続されている。第1の蓄積部103の第2端はグランドに接続されている。
【００４０】
第2の転送部104は、第1の蓄積部103に蓄積された信号電荷を第2の蓄積部105に転送する。第2の転送部104は、複数の光電変換部101の各々に対応して配置されたトランジスタ（第2のトランジスタ）として構成されている。第2の転送部104のドレインは第1の蓄積部103の第1端に接続されている。第2の転送部104の動作は、水平選択部112から第2の転送部104のゲートに供給される制御信号である第2の転送パルスΦTXHによって制御される。図1では、代表として、m列目の第2の転送部104に供給される第2の転送パルスΦTXHmと、m+1列目の第2の転送部104に供給される第2の転送パルスΦTXHm+1とが示されている。
【００４１】
第2の蓄積部105は、第1の蓄積部103に蓄積され、第2の転送部104によって転送された信号電荷を蓄積する。第2の蓄積部105は、複数の光電変換部101の各々に対応して配置された容量（第2の容量）として構成されている。第2の蓄積部105の第1端は第2の転送部104のソースに接続されている。第2の蓄積部105の第2端はグランドに接続されている。
【００４２】
リセット部106は、第2の蓄積部105に蓄積されている信号電荷をリセットする。リセット部106は、複数の光電変換部101の各々に対応して配置されたトランジスタ（第3のトランジスタ）として構成されている。リセット部106のドレインは電源電圧VDDに接続されている。リセット部106のソースは第2の蓄積部105の第1端に接続されている。リセット部106の動作は、水平選択部112からリセット部106のゲートに供給される制御信号である選択パルスΦHSELによって制御される。図1では、代表として、m列目のリセット部106に供給される選択パルスΦHSELm-1と、m+1列目のリセット部106に供給される選択パルスΦHSELmとが示されている。
【００４３】
増幅部107は、第2の蓄積部105に蓄積されている信号電荷に応じた信号を増幅し、増幅された信号を出力する。増幅部107は、複数の光電変換部101の各々に対応して配置されたトランジスタとして構成されている。増幅部107のドレインは電源電圧VDDに接続されている。増幅部107のゲートは第2の蓄積部105の第1端に接続されている。
【００４４】
選択部108は、増幅部107から出力される信号を選択し、選択された信号を出力信号線109に出力する。増幅部107と選択部108とは、第2の蓄積部105に蓄積された信号電荷に応じた信号を出力信号線109に出力する出力部である。増幅部107と選択部108とは、複数の光電変換部101の各々に対応して配置されたトランジスタ（第4のトランジスタ）として構成されている。選択部108のドレインは増幅部107のソースに接続されている。選択部108のソースは、行ごとに配置された出力信号線109に接続されている。選択部108の動作は、水平選択部112から選択部108のゲートに供給される制御信号である選択パルスΦHSELによって制御される。図1では、代表として、m列目の選択部108に供給される選択パルスΦHSELmと、m+1列目の選択部108に供給される選択パルスΦHSELm+1とが示されている。選択パルスΦHSELは、リセット部106と選択部108とで共通の制御信号である。
【００４５】
出力スイッチ110は、出力信号線109に出力された信号をI-V変換部111に出力する。出力スイッチ110は、複数の光電変換部101の配列の行ごとに配置された複数のトランジスタを有する。出力スイッチ110の動作は、垂直選択部113から、出力スイッチ110を構成するトランジスタのゲートに供給される制御信号である出力パルスΦVによって制御される。図1では、代表として、1行目の出力パルスΦV1と、2行目の出力パルスΦV2と、3行目の出力パルスΦV3とが示されている。
【００４６】
I-V変換部111は、出力スイッチ110から出力された信号の電流を電圧に変換し、信号Vsigを出力する。
【００４７】
水平選択部112は、第2の転送部104と、リセット部106と、選択部108とを制御する制御信号を出力する。水平選択部112は、複数の光電変換部101の配列の列ごとに第2の転送部104と、リセット部106と、選択部108とを制御する第1の制御部である。
【００４８】
垂直選択部113は、第1の転送部102と出力スイッチ110とを制御する制御信号を出力する。垂直選択部113は、複数の光電変換部101の配列の行ごとに第1の転送部102を制御する第2の制御部である。
【００４９】
本実施形態では、第1の転送部102が垂直選択部113によって駆動され、第2の転送部104が水平選択部112によって駆動される。これによって、リセットレベルの信号と信号レベルの信号とを光電変換部101ごと（画素ごと）に異なるタイミングで読み出すことが可能となる。
【００５０】
次に、固体撮像装置100Aの動作を説明する。図2と図3とは、固体撮像装置100Aの動作例を示している。図2と図3とでは、電源電圧VDDと、出力パルスΦV1と、第1の転送パルスΦTXV1と、選択パルスΦHSELm-1と、選択パルスΦHSELmと、選択パルスΦHSELm+1と、第2の転送パルスΦTXHmと、第2の転送パルスΦTXHm+1と、I-V変換部111から出力される信号Vsigとの波形が示されている。図2と図3との横方向が時間を示し、図2と図3との縦方向が電圧を示している。
【００５１】
図2の時間方向のスケールは、図17の時間方向のスケールと同一である。図3は、図2の破線DTの部分を拡大した図である。以下では、図3を参照して固体撮像装置100Aの動作を説明する。
【００５２】
（タイミングt1）
出力パルスΦV1がLowからHighに変化することによって、出力スイッチ110を構成する複数のトランジスタのうち1行目のトランジスタがON状態となる。同時に、第1の転送パルスΦTXV1がLowからHighに変化することによって、1行目の全ての第1の転送部102がON状態となる。これによって、1行目の全ての光電変換部101から第1の蓄積部103に信号電荷が転送される。
【００５３】
上記のように、タイミングt1からタイミングt2までの第1の期間において、第1の転送部102は信号電荷を光電変換部101から第1の蓄積部103に転送する。
【００５４】
（タイミングt2）
第1の転送パルスΦTXV1がHighからLowに変化することによって、1行目の全ての第1の転送部102がOFF状態となる。同時に、選択パルスΦHSELm-1がLowからHighに変化することによって、m列目のリセット部106がON状態となる。これによって、m列目の第2の蓄積部105に蓄積されている信号電荷がリセットされる。
【００５５】
上記のように、タイミングt2からタイミングt3までの第2の期間において、リセット部106は、第2の蓄積部105に蓄積されている信号電荷をリセットする。リセット部106によるリセットが行われた後に第1の転送部102が信号電荷を転送してもよい。
【００５６】
（タイミングt3）
選択パルスΦHSELm-1がHighからLowに変化することによって、m列目のリセット部106がOFF状態となる。同時に、選択パルスΦHSELmがLowからHighに変化することによって、m列目の選択部108がON状態となる。これによって、リセットレベルの信号が1行目の出力信号線109に出力される。この信号に基づく電流がI-V変換部111で電圧に変換される。I-V変換部111は、1行m列目のリセットレベルに対応する信号Vsigを出力する。また、m+1列目のリセット部106がON状態となることによって、m+1列目の第2の蓄積部105に蓄積されている信号電荷がリセットされる。
【００５７】
上記のように、タイミングt3からタイミングt4までの第3の期間において、選択部108は、リセットされた信号電荷に応じた第1の信号、すなわちリセットレベルの信号を出力する。
【００５８】
（タイミングt4）
第2の転送パルスΦTXHmがLowからHighに変化することによって、m列目の第2の転送部104がON状態となる。これによって、m列目の第1の蓄積部103の電位とm列目の第2の蓄積部105の電位とが同一となる。つまり、第1の蓄積部103に蓄積されている信号電荷が第2の蓄積部105に転送される。
【００５９】
上記のように、タイミングt4からタイミングt5までの第4の期間において、第2の転送部104は信号電荷を第1の蓄積部103から第2の蓄積部105に転送する。
【００６０】
（タイミングt5）
第2の転送パルスΦTXHmがHighからLowに変化することによって、m列目の第2の転送部104がOFF状態となる。これによって、信号レベルの信号が1行目の出力信号線109に出力される。この信号に基づく電流がI-V変換部111で電圧に変換される。I-V変換部111は、1行m列目の信号レベルに対応する信号Vsigを出力する。
【００６１】
上記のように、タイミングt5からタイミングt6までの第5の期間において、選択部108は、第2の蓄積部105に転送された信号電荷に応じた第2の信号、すなわち信号レベルの信号を出力する。
【００６２】
（タイミングt6）
選択パルスΦHSELmがHighからLowに変化することによって、m列目の選択部108がOFF状態となると共に、m+1列目のリセット部106がOFF状態となる。同時に、選択パルスΦHSELm+1がLowからHighに変化することによって、m+1列目の選択部108がON状態となる。これによって、m列目の信号の読み出しが終了し、m+1列目の信号の読み出しが開始される。
【００６３】
m+1列目の信号の読み出しはm列目の信号の読み出しと同様である。つまり、m+1列目について、タイミングt3からタイミングt6までの動作と同様の動作が行われる。同様に、1列ずつ信号の読み出しが行われる。図3に示す動作では、複数の光電変換部101の配列の第1の列に係るリセットレベルの第1の信号がタイミングt3で出力されるのと同時に、第1の列に隣接する第2の列に係る信号電荷がタイミングt3でリセットされ、続いて、第1の列に係る信号レベルの第2の信号がタイミングt5で出力された後、第2の列に係る第1の信号と第2の信号とが出力される。
【００６４】
1行目の全ての列に対して信号の読み出しが行われた後、2行目の各列に対して信号の読み出しが行われる。以降は、複数の光電変換部101の配列の行ごとに上記と同様の動作が行われる。
【００６５】
固体撮像装置100Aにおける構成のうち、出力スイッチ110とI-V変換部111とは、固体撮像装置100Aの特徴的な効果を得るために必須の構成ではない。
【００６６】
本実施形態によれば、入射した光の大きさに応じた信号電荷を生成する、行列状に配置された複数の光電変換部101と、信号電荷を蓄積する第1の蓄積部103と、信号電荷を光電変換部101から第1の蓄積部103に転送する第1の転送部102と、第1の蓄積部103に蓄積された信号電荷を蓄積する第2の蓄積部105と、第1の蓄積部103に蓄積された信号電荷を第2の蓄積部105に転送する第2の転送部104と、第2の蓄積部105に蓄積されている信号電荷をリセットするリセット部106と、第2の蓄積部105に蓄積された信号電荷に応じた信号を出力信号線109に出力する出力部（増幅部107、選択部108）と、複数の光電変換部101の配列の列ごとに第2の転送部104と、リセット部106と、出力部とを制御する第1の制御部（水平選択部112）と、行ごとに第1の転送部102を制御する第2の制御部（垂直選択部113）と、を有し、第1の期間において、第1の転送部102は信号電荷を転送し、第1の期間と異なる第2の期間において、リセット部106は信号電荷をリセットし、第2の期間よりも後の第3の期間において、出力部は、リセットされた信号電荷に応じた第1の信号を出力し、第1の期間および第3の期間よりも後の第4の期間において、第2の転送部104は信号電荷を転送し、第4の期間よりも後の第5の期間において、出力部は、転送された信号電荷に応じた第2の信号を出力し、第1の列に係る第1の信号と第2の信号とが出力された後、第1の列と異なる第2の列に係る第1の信号と第2の信号とが出力される固体撮像装置100Aが構成される。
【００６７】
本実施形態では、複数の光電変換部101の配列の同一の列について、リセットレベルの第1の信号を読み出した直後に、信号レベルの第2の信号を読み出すことが可能である。このため、第1の信号の読み出しタイミングと、第2の信号の読み出しタイミングとの差を小さくすることが可能となる。例えば、動作周波数が27MHｚ（1CLK=37ns）である場合、第1の信号の読み出しタイミングと第2の信号の読み出しタイミングとの差を1CLK（37ns）以下にすることができる。この差は、従来の固体撮像装置における2種類の信号の読み出しタイミングの差（数μs）に比べて十分に短い。したがって、電源電圧VDDの低周波での変動によるノイズを低減することができる。
【００６８】
（変形例）
次に、本実施形態の変形例を説明する。図4は、本変形例による固体撮像装置100Bの構成例を示している。図4に示すように、固体撮像装置100Bは、光電変換部101と、第1の蓄積部103と、第2の蓄積部105と、リセット部106と、増幅部107と、選択部108と、出力スイッチ110と、I-V変換部111と、水平選択部112と、垂直選択部113と、転送部114とを有する。
【００６９】
以下では、図1に示す固体撮像装置100Aと図4に示す固体撮像装置100Bとの相違点を説明する。固体撮像装置100Bでは、第1の転送部102と第2の転送部104とが転送部114に置き換わる。転送部114は、第1の転送部102と第2の転送部104との両方の機能を有する。転送部114は、ダブル（マルチ）ゲート構造のトランジスタ（例えば、特開2011-40926号公報参照）として構成されている。
【００７０】
転送部114は光電変換部101と第2の蓄積部105との間に配置されている。転送部114は2つのゲートを有する。垂直選択部113から供給される第1の転送パルスΦTXV1が転送部114の第1のゲートに入力される。また、水平選択部112から供給される第2の転送パルスΦTXHmが転送部114の第2のゲートに入力される。第1の蓄積部103は、転送部114において、第1のゲートに対応する領域と第2のゲートに対応する領域との間に接続されている。
【００７１】
上記以外の構成については、固体撮像装置100Aと同様である。固体撮像装置100Bの動作は固体撮像装置100Aの動作と同様である。
【００７２】
本変形例においても、複数の光電変換部101の配列の同一の列について、リセットレベルの第1の信号を読み出した直後に、信号レベルの第2の信号を読み出すことが可能である。このため、電源電圧VDDの低周波での変動によるノイズを低減することができる。
【００７３】
（第2の実施形態）
次に、本発明の第2の実施形態を説明する。図5は、本実施形態による固体撮像装置100Cの構成例を示している。図5に示すように、固体撮像装置100Cは、光電変換部101と、第1の転送部102と、第1の蓄積部103と、第2の転送部104と、第2の蓄積部105と、リセット部106と、増幅部107と、選択部108と、出力スイッチ110と、I-V変換部111と、水平選択部112と、垂直選択部113とを有する。
【００７４】
以下では、図1に示す固体撮像装置100Aと図5に示す固体撮像装置100Cとの相違点を説明する。固体撮像装置100Cでは、第2の蓄積部105は、複数の光電変換部101のうち行方向（水平方向）に隣接する2つの光電変換部101に共通に対応して配置された容量として構成されている。また、リセット部106と、増幅部107と、選択部108とは、複数の光電変換部101のうち行方向に隣接する2つの光電変換部101に共通に対応して配置されたトランジスタとして構成されている。つまり、固体撮像装置100Cでは、第2の蓄積部105と、リセット部106と、増幅部107と、選択部108とが、m列目の画素と、その画素に対して行方向に隣接するm+1列目の画素とで共有されている。
【００７５】
リセット部106の動作は、垂直選択部113からリセット部106のゲートに供給される制御信号であるリセットパルスΦRSTVによって制御される。図5では、代表として、1行目のリセット部106に供給されるリセットパルスΦRSTV1が示されている。上記以外の構成については、固体撮像装置100Aと同様である。
【００７６】
次に、固体撮像装置100Cの動作を説明する。図6は、固体撮像装置100Cの第1の動作例を示している。図6では、電源電圧VDDと、出力パルスΦV1と、第1の転送パルスΦTXV1と、リセットパルスΦRSTV1と、選択パルスΦHSELmと、第2の転送パルスΦTXHmと、第2の転送パルスΦTXHm+1と、I-V変換部111から出力される信号Vsigとの波形が示されている。図6の横方向が時間を示し、図6の縦方向が電圧を示している。
【００７７】
（タイミングt1）
出力パルスΦV1がLowからHighに変化することによって、出力スイッチ110を構成する複数のトランジスタのうち1行目のトランジスタがON状態となる。同時に、第1の転送パルスΦTXV1がLowからHighに変化することによって、1行目の全ての第1の転送部102がON状態となる。これによって、1行目の全ての光電変換部101から第1の蓄積部103に信号電荷が転送される。
【００７８】
その後、タイミングt1とタイミングt2との間のタイミングで、第1の転送パルスΦTXV1がHighからLowに変化することによって、1行目の全ての第1の転送部102がOFF状態となる。
【００７９】
上記のように、タイミングt1からタイミングt2までの第1の期間において、第1の転送部102は信号電荷を光電変換部101から第1の蓄積部103に転送する。
【００８０】
（タイミングt2）
リセットパルスΦRSTV1がLowからHighに変化することによって、1行目の全てのリセット部106がON状態となる。これによって、1行目の全ての第2の蓄積部105に蓄積されている信号電荷がリセットされる。同時に、選択パルスΦHSELmがLowからHighに変化することによって、m列目とm+1列目とに対応する選択部108がON状態となる。
【００８１】
上記のように、タイミングt2からタイミングt3までの第2の期間において、リセット部106は、第2の蓄積部105に蓄積されている信号電荷をリセットする。リセット部106によるリセットが行われた後に第1の転送部102が信号電荷を転送してもよい。
【００８２】
（タイミングt3）
リセットパルスΦRSTV1がHighからLowに変化することによって、1行目の全てのリセット部106がOFF状態となる。m列目とm+1列目とに対応する選択部108がON状態であるため、リセットレベルの信号が1行目の出力信号線109に出力される。この信号に基づく電流がI-V変換部111で電圧に変換される。I-V変換部111は、1行m列目のリセットレベルに対応する信号Vsigを出力する。
【００８３】
上記のように、タイミングt3からタイミングt4までの第3の期間において、選択部108は、リセットされた信号電荷に応じた第1の信号、すなわちリセットレベルの信号を出力する。
【００８４】
（タイミングt4）
第2の転送パルスΦTXHmがLowからHighに変化することによって、m列目の第2の転送部104がON状態となる。これによって、m列目の第1の蓄積部103の電位と、m列目およびm+1列目に対応する第2の蓄積部105の電位とが同一となる。つまり、第1の蓄積部103に蓄積されている信号電荷が第2の蓄積部105に転送される。
【００８５】
上記のように、タイミングt4からタイミングt5までの第4の期間において、第2の転送部104は信号電荷を第1の蓄積部103から第2の蓄積部105に転送する。
【００８６】
（タイミングt5）
第2の転送パルスΦTXHmがHighからLowに変化することによって、m列目の第2の転送部104がOFF状態となる。これによって、信号レベルの信号が1行目の出力信号線109に出力される。この信号に基づく電流がI-V変換部111で電圧に変換される。I-V変換部111は、1行m列目の信号レベルに対応する信号Vsigを出力する。
【００８７】
上記のように、タイミングt5からタイミングt6までの第5の期間において、選択部108は、第2の蓄積部105に転送された信号電荷に応じた第2の信号、すなわち信号レベルの信号を出力する。
【００８８】
（タイミングt6）
リセットパルスΦRSTV1がLowからHighに変化することによって、1行目の全てのリセット部106がON状態となる。これによって、1行目の全ての第2の蓄積部105に蓄積されている信号電荷がリセットされる。この動作は、タイミングt2からタイミングt3までの第2の期間における動作と同様である。
【００８９】
（タイミングt7）
リセットパルスΦRSTV1がHighからLowに変化することによって、1行目の全てのリセット部106がOFF状態となる。m列目とm+1列目とに対応する選択部108がON状態であるため、リセットレベルの信号が1行目の出力信号線109に出力される。この信号に基づく電流がI-V変換部111で電圧に変換される。I-V変換部111は、1行m+1列目のリセットレベルに対応する信号Vsigを出力する。この動作は、タイミングt3からタイミングt4までの第3の期間における動作と同様である。
【００９０】
（タイミングt8）
第2の転送パルスΦTXHm+1がLowからHighに変化することによって、m+1列目の第2の転送部104がON状態となる。これによって、m+1列目の第1の蓄積部103の電位と、m列目およびm+1列目に対応する第2の蓄積部105の電位とが同一となる。つまり、第1の蓄積部103に蓄積されている信号電荷が第2の蓄積部105に転送される。この動作は、タイミングt4からタイミングt5までの第4の期間における動作と同様である。
【００９１】
（タイミングt9）
第2の転送パルスΦTXHm+1がHighからLowに変化することによって、m+1列目の第2の転送部104がOFF状態となる。これによって、信号レベルの信号が1行目の出力信号線109に出力される。この信号に基づく電流がI-V変換部111で電圧に変換される。I-V変換部111は、1行m+1列目の信号レベルに対応する信号Vsigを出力する。この動作は、タイミングt5からタイミングt6までの第5の期間における動作と同様である。
【００９２】
（タイミングt10）
選択パルスΦHSELmがHighからLowに変化することによって、m列目とm+1列目とに対応する選択部108がOFF状態となる。これによって、m列目とm+1列目との信号の読み出しが終了する。
【００９３】
続いて、m+2列目とm+3列目との信号の読み出しが行われる。m+2列目とm+3列目との信号の読み出しはm列目とm+1列目との信号の読み出しと同様である。つまり、m+2列目とm+3列目とについて、タイミングt2からタイミングt10までの動作と同様の動作が行われる。同様に、1列ずつ信号の読み出しが行われる。図6に示す動作では、複数の光電変換部101の配列の第1の列に係る第1の信号と第2の信号とが出力された後、第1の列に隣接する第2の列に係る第1の信号と第2の信号とが出力される。
【００９４】
1行目の全ての列に対して信号の読み出しが行われた後、2行目の各列に対して信号の読み出しが行われる。以降は、複数の光電変換部101の配列の行ごとに上記と同様の動作が行われる。
【００９５】
図7は、固体撮像装置100Cの第2の動作例を示している。図7では、電源電圧VDDと、出力パルスΦV1と、第1の転送パルスΦTXV1と、リセットパルスΦRSTV1と、選択パルスΦHSELmと、選択パルスΦHSELm+2と、第2の転送パルスΦTXHmと、第2の転送パルスΦTXHm+1と、第2の転送パルスΦTXHm+2と、第2の転送パルスΦTXHm+3と、I-V変換部111から出力される信号Vsigとの波形が示されている。図7の横方向が時間を示し、図7の縦方向が電圧を示している。
【００９６】
以下では、mが奇数であり、m+1が偶数である場合の動作を説明する。タイミングt1からタイミングt5までの動作は、図6におけるタイミングt1からタイミングt5までの動作と同様である。このため、タイミングt1からタイミングt5までの動作については説明を省略する。タイミングt1からタイミングt5までの期間に、1行m列目のリセットレベルの第1の信号と信号レベルの第2の信号との読み出しが行われる。
【００９７】
（タイミングt6）
選択パルスΦHSELm+2がLowからHighに変化することによって、m+2列目とm+3列目とに対応する選択部108がON状態となる。タイミングt1でリセットが行われたため、リセットレベルの信号が1行目の出力信号線109に出力される。この信号に基づく電流がI-V変換部111で電圧に変換される。I-V変換部111は、1行m+2列目のリセットレベルに対応する信号Vsigを出力する。
【００９８】
（タイミングt7）
第2の転送パルスΦTXHm+2がLowからHighに変化することによって、m+2列目の第2の転送部104がON状態となる。これによって、m+2列目の第1の蓄積部103の電位と、m+2列目およびm+3列目に対応する第2の蓄積部105の電位とが同一となる。つまり、第1の蓄積部103に蓄積されている信号電荷が第2の蓄積部105に転送される。
【００９９】
（タイミングt8）
第2の転送パルスΦTXHm+2がHighからLowに変化することによって、m+2列目の第2の転送部104がOFF状態となる。これによって、信号レベルの信号が1行目の出力信号線109に出力される。この信号に基づく電流がI-V変換部111で電圧に変換される。I-V変換部111は、1行m+2列目の信号レベルに対応する信号Vsigを出力する。
【０１００】
（タイミングt9）
選択パルスΦHSELm+2がHighからLowに変化することによって、m+2列目とm+3列目とに対応する選択部108がOFF状態となる。これによって、m+2列目の信号の読み出しが終了する。
【０１０１】
上記のように、タイミングt6からタイミングt9までの期間に、1行m+2列目のリセットレベルの第1の信号と信号レベルの第2の信号との読み出しが行われる。つまり、図7に示す動作では、偶数列および奇数列の一方である第1の列に係る信号電荷と、偶数列および奇数列の他方である第2の列に係る信号電荷とがタイミングt2で同時にリセットされた後、第1の列に係るリセットレベルの第1の信号と信号レベルの第2の信号とが出力され、続いて、第2の列に係る第1の信号と第2の信号とが出力される。
【０１０２】
この後、m+4列目とm+6列目との信号の読み出しが行われる。m+4列目とm+6列目との信号の読み出しはm列目とm+2列目との信号の読み出しと同様である。つまり、m+4列目とm+6列目とについて、タイミングt2からタイミングt9までの動作と同様の動作が行われる。同様に、奇数列について1列ずつ信号の読み出しが行われる。
【０１０３】
（タイミングt10）
リセットパルスΦRSTV1がLowからHighに変化することによって、1行目の全てのリセット部106がON状態となる。これによって、1行目の全ての第2の蓄積部105に蓄積されている信号電荷がリセットされる。同時に、選択パルスΦHSELmがLowからHighに変化することによって、m列目とm+1列目とに対応する選択部108がON状態となる。
【０１０４】
（タイミングt11）
リセットパルスΦRSTV1がHighからLowに変化することによって、1行目の全てのリセット部106がOFF状態となる。m列目とm+1列目とに対応する選択部108がON状態であるため、リセットレベルの信号が1行目の出力信号線109に出力される。この信号に基づく電流がI-V変換部111で電圧に変換される。I-V変換部111は、1行m+1列目のリセットレベルに対応する信号Vsigを出力する。
【０１０５】
（タイミングt12）
第2の転送パルスΦTXHm+1がLowからHighに変化することによって、m+1列目の第2の転送部104がON状態となる。これによって、m+1列目の第1の蓄積部103の電位と、m列目およびm+1列目に対応する第2の蓄積部105の電位とが同一となる。つまり、第1の蓄積部103に蓄積されている信号電荷が第2の蓄積部105に転送される。
【０１０６】
（タイミングt13）
第2の転送パルスΦTXHm+1がHighからLowに変化することによって、m+1列目の第2の転送部104がOFF状態となる。これによって、信号レベルの信号が1行目の出力信号線109に出力される。この信号に基づく電流がI-V変換部111で電圧に変換される。I-V変換部111は、1行m+1列目の信号レベルに対応する信号Vsigを出力する。
【０１０７】
（タイミングt14）
選択パルスΦHSELmがHighからLowに変化することによって、m列目とm+1列目とに対応する選択部108がOFF状態となる。これによって、m+1列目の信号の読み出しが終了する。同時に、選択パルスΦHSELm+2がLowからHighに変化することによって、m+2列目とm+3列目とに対応する選択部108がON状態となる。タイミングt10でリセットが行われたため、リセットレベルの信号が1行目の出力信号線109に出力される。この信号に基づく電流がI-V変換部111で電圧に変換される。I-V変換部111は、1行m+3列目のリセットレベルに対応する信号Vsigを出力する。
【０１０８】
（タイミングt15）
第2の転送パルスΦTXHm+3がLowからHighに変化することによって、m+3列目の第2の転送部104がON状態となる。これによって、m+3列目の第1の蓄積部103の電位と、m+2列目およびm+3列目に対応する第2の蓄積部105の電位とが同一となる。つまり、第1の蓄積部103に蓄積されている信号電荷が第2の蓄積部105に転送される。
【０１０９】
（タイミングt16）
第2の転送パルスΦTXHm+3がHighからLowに変化することによって、m+3列目の第2の転送部104がOFF状態となる。これによって、信号レベルの信号が1行目の出力信号線109に出力される。この信号に基づく電流がI-V変換部111で電圧に変換される。I-V変換部111は、1行m+3列目の信号レベルに対応する信号Vsigを出力する。
【０１１０】
（タイミングt17）
選択パルスΦHSELm+2がHighからLowに変化することによって、m+2列目とm+3列目とに対応する選択部108がOFF状態となる。これによって、m+3列目の信号の読み出しが終了する。
【０１１１】
上記のように、タイミングt10からタイミングt14までの期間に、1行m+1列目のリセットレベルの第1の信号と信号レベルの第2の信号との読み出しが行われる。また、タイミングt14からタイミングt17までの期間に、1行m+3列目のリセットレベルの第1の信号と信号レベルの第2の信号との読み出しが行われる。
【０１１２】
この後、m+5列目とm+7列目との信号の読み出しが行われる。m+5列目とm+7列目との信号の読み出しはm+1列目とm+3列目との信号の読み出しと同様である。つまり、m+5列目とm+7列目とについて、タイミングt10からタイミングt17までの動作と同様の動作が行われる。同様に、偶数列について1列ずつ信号の読み出しが行われる。
【０１１３】
1行目の全ての列に対して信号の読み出しが行われた後、2行目の各列に対して信号の読み出しが行われる。以降は、複数の光電変換部101の配列の行ごとに上記と同様の動作が行われる。
【０１１４】
上記のように、図7に示す第2の動作例では、1つの行の偶数列のリセットレベルの第1の信号と信号レベルの第2の信号とが読み出された後、同じ行の奇数列の第1の信号と第2の信号とが読み出される。1つの行の奇数列の第1の信号と第2の信号とを読み出した後、同じ行の偶数列の第1の信号と第2の信号とを読み出してもよい。
【０１１５】
固体撮像装置100Cにおける構成のうち、出力スイッチ110とI-V変換部111とは、固体撮像装置100Cの特徴的な効果を得るために必須の構成ではない。
【０１１６】
本実施形態では、複数の光電変換部101の配列の同一の列について、リセットレベルの第1の信号を読み出した直後に、信号レベルの第2の信号を読み出すことが可能である。このため、電源電圧VDDの低周波での変動によるノイズを低減することができる。また、行方向に隣接する2つの画素で一部の構成が共有されるので、回路面積を低減することができる。
【０１１７】
図6に示す第1の動作例では、第2の蓄積部105を共有する2つの列で連続的に信号の読み出しが行われる。このため、図6のタイミングt5でm列目の信号レベルの信号が読み出された後、m+1列目のリセットレベルの信号を読み出すためにリセットを行う必要がある。
【０１１８】
これに対して、図7に示す第2の動作例では、同一行の全ての列でリセットが行われた後、第2の蓄積部105を共有しない列で連続的に信号の読み出しが行われる。このため、図7のタイミングt5でm列目の信号レベルの信号が読み出された後、リセットを行わずにm+2列目のリセットレベルの信号を読み出すことが可能である。したがって、図7に示す第2の動作例では、図6に示す第1の動作例よりも信号の読み出しを高速に行うことができる。
【０１１９】
（第3の実施形態）
次に、本発明の第3の実施形態を説明する。図8は、本実施形態による固体撮像装置100Dの構成例を示している。図8に示すように、固体撮像装置100Dは、光電変換部101と、第1の転送部102と、第1の蓄積部103と、第2の転送部104と、第2の蓄積部105と、リセット部106と、増幅部107と、選択部108と、出力スイッチ110と、I-V変換部111と、水平選択部112と、垂直選択部113とを有する。
【０１２０】
以下では、図1に示す固体撮像装置100Aと図8に示す固体撮像装置100Dとの相違点を説明する。固体撮像装置100Dでは、第2の蓄積部105は、複数の光電変換部101のうち列方向（垂直方向）に隣接する2つの光電変換部101に共通に対応して配置された容量として構成されている。また、リセット部106と、増幅部107と、選択部108とは、複数の光電変換部101のうち列方向に隣接する2つの光電変換部101に共通に対応して配置されたトランジスタとして構成されている。つまり、固体撮像装置100Dでは、第2の蓄積部105と、リセット部106と、増幅部107と、選択部108とが、1行目の画素と、その画素に対して列方向に隣接する2行目の画素とで共有されている。
【０１２１】
第2の転送部104の動作は、水平選択部112から第2の転送部104のゲートに供給される制御信号である第2の転送パルスΦTXHによって制御される。図8では、代表として、1行m列目の第2の転送部104に供給される第2の転送パルスΦTXHm(1)と、2行m列目の第2の転送部104に供給される第2の転送パルスΦTXHm(2)とが示されている。
【０１２２】
出力信号線109は、2行ごとに、すなわち1行おきに配置されている。上記以外の構成については、固体撮像装置100Aと同様である。
【０１２３】
次に、固体撮像装置100Dの動作を説明する。図9は、固体撮像装置100Dの動作例を示している。図9では、電源電圧VDDと、出力パルスΦV1と、第1の転送パルスΦTXV1と、第1の転送パルスΦTXV2と、選択パルスΦHSELm-1と、選択パルスΦHSELmと、第2の転送パルスΦTXHm(1)と、第2の転送パルスΦTXHm(2)と、I-V変換部111から出力される信号Vsigとの波形が示されている。図9の横方向が時間を示し、図9の縦方向が電圧を示している。
【０１２４】
（タイミングt1）
出力パルスΦV1がLowからHighに変化することによって、出力スイッチ110を構成する複数のトランジスタのうち1行目と2行目とに対応するトランジスタがON状態となる。同時に、第1の転送パルスΦTXV1がLowからHighに変化することによって、1行目の全ての第1の転送部102がON状態となる。これによって、1行目の全ての光電変換部101から第1の蓄積部103に信号電荷が転送される。
【０１２５】
（タイミングt2）
第1の転送パルスΦTXV1がHighからLowに変化することによって、1行目の全ての第1の転送部102がOFF状態となる。同時に、選択パルスΦHSELm-1がLowからHighに変化することによって、m列目のリセット部106がON状態となる。これによって、m列目の第2の蓄積部105に蓄積されている信号電荷がリセットされる。
【０１２６】
（タイミングt3）
選択パルスΦHSELm-1がHighからLowに変化することによって、m列目のリセット部106がOFF状態となる。同時に、選択パルスΦHSELmがLowからHighに変化することによって、m列目の選択部108がON状態となる。これによって、リセットレベルの信号が、1行目と2行目とに対応する出力信号線109に出力される。この信号に基づく電流がI-V変換部111で電圧に変換される。I-V変換部111は、1行m列目のリセットレベルに対応する信号Vsigを出力する。また、m+1列目のリセット部106がON状態となることによって、m+1列目の第2の蓄積部105に蓄積されている信号電荷がリセットされる。
【０１２７】
（タイミングt4）
第2の転送パルスΦTXHm(1)がLowからHighに変化することによって、1行m列目の第2の転送部104がON状態となる。これによって、1行m列目の第1の蓄積部103の電位と、1行m列目および2行m列目に対応する第2の蓄積部105の電位とが同一となる。つまり、第1の蓄積部103に蓄積されている信号電荷が第2の蓄積部105に転送される。
【０１２８】
（タイミングt5）
第2の転送パルスΦTXHm(1)がHighからLowに変化することによって、1行m列目の第2の転送部104がOFF状態となる。これによって、信号レベルの信号が、1行目と2行目とに対応する出力信号線109に出力される。この信号に基づく電流がI-V変換部111で電圧に変換される。I-V変換部111は、1行m列目の信号レベルに対応する信号Vsigを出力する。
【０１２９】
（タイミングt6）
選択パルスΦHSELmがHighからLowに変化することによって、m列目の選択部108がOFF状態となると共に、m+1列目のリセット部106がOFF状態となる。これによって、m列目の信号の読み出しが終了する。
【０１３０】
続いて、m+1列目の信号の読み出しが行われる。m+1列目の信号の読み出しはm列目の信号の読み出しと同様である。つまり、m+1列目について、タイミングt2からタイミングt6までの動作と同様の動作が行われる。同様に、1列ずつ信号の読み出しが行われる。図9に示す動作では、複数の光電変換部101の配列の第1の列に係るリセットレベルの第1の信号がタイミングt3で出力されるのと同時に、第1の列に隣接する第2の列に係る信号電荷がタイミングt3でリセットされ、続いて、第1の列に係る信号レベルの第2の信号がタイミングt5で出力された後、第2の列に係る第1の信号と第2の信号とが出力される。
【０１３１】
1行目の全ての列に対して信号の読み出しが行われた後、出力パルスΦV1がHighからLowに変化することによって、出力スイッチ110を構成する複数のトランジスタのうち1行目と2行目とに対応するトランジスタがOFF状態となる。
【０１３２】
（タイミングt7）
出力パルスΦV1がLowからHighに変化することによって、出力スイッチ110を構成する複数のトランジスタのうち1行目と2行目とに対応するトランジスタがON状態となる。同時に、第1の転送パルスΦTXV2がLowからHighに変化することによって、2行目の全ての第1の転送部102がON状態となる。これによって、2行目の全ての光電変換部101から第1の蓄積部103に信号電荷が転送される。
【０１３３】
（タイミングt8）
第1の転送パルスΦTXV2がHighからLowに変化することによって、2行目の全ての第1の転送部102がOFF状態となる。同時に、選択パルスΦHSELm-1がLowからHighに変化することによって、m列目のリセット部106がON状態となる。これによって、m列目の第2の蓄積部105に蓄積されている信号電荷がリセットされる。
【０１３４】
（タイミングt9）
選択パルスΦHSELm-1がHighからLowに変化することによって、m列目のリセット部106がOFF状態となる。同時に、選択パルスΦHSELmがLowからHighに変化することによって、m列目の選択部108がON状態となる。これによって、リセットレベルの信号が、1行目と2行目とに対応する出力信号線109に出力される。この信号に基づく電流がI-V変換部111で電圧に変換される。I-V変換部111は、2行m列目のリセットレベルに対応する信号Vsigを出力する。また、m+1列目のリセット部106がON状態となることによって、m+1列目の第2の蓄積部105に蓄積されている信号電荷がリセットされる。
【０１３５】
（タイミングt10）
第2の転送パルスΦTXHm(2)がLowからHighに変化することによって、2行m列目の第2の転送部104がON状態となる。これによって、2行m列目の第1の蓄積部103の電位と、1行m列目および2行m列目に対応する第2の蓄積部105の電位とが同一となる。つまり、第1の蓄積部103に蓄積されている信号電荷が第2の蓄積部105に転送される。
【０１３６】
（タイミングt11）
第2の転送パルスΦTXHm(2)がHighからLowに変化することによって、2行m列目の第2の転送部104がOFF状態となる。これによって、信号レベルの信号が、1行目と2行目とに対応する出力信号線109に出力される。この信号に基づく電流がI-V変換部111で電圧に変換される。I-V変換部111は、2行m列目の信号レベルに対応する信号Vsigを出力する。
【０１３７】
（タイミングt12）
選択パルスΦHSELmがHighからLowに変化することによって、m列目の選択部108がOFF状態となると共に、m+1列目のリセット部106がOFF状態となる。これによって、m列目の信号の読み出しが終了する。
【０１３８】
続いて、m+1列目の信号の読み出しが行われる。m+1列目の信号の読み出しはm列目の信号の読み出しと同様である。つまり、m+1列目について、タイミングt9からタイミングt12までの動作と同様の動作が行われる。同様に、1列ずつ信号の読み出しが行われる。
【０１３９】
2行目の全ての列に対して信号の読み出しが行われた後、3行目の各列に対して信号の読み出しが行われる。以降は、複数の光電変換部101の配列の行ごとに上記と同様の動作が行われる。
【０１４０】
固体撮像装置100Dにおける構成のうち、出力スイッチ110とI-V変換部111とは、固体撮像装置100Dの特徴的な効果を得るために必須の構成ではない。
【０１４１】
本実施形態では、複数の光電変換部101の配列の同一の列について、リセットレベルの第1の信号を読み出した直後に、信号レベルの第2の信号を読み出すことが可能である。このため、電源電圧VDDの低周波での変動によるノイズを低減することができる。また、列方向に隣接する2つの画素で一部の構成が共有されるので、回路面積を低減することができる。
【０１４２】
図9に示す動作では、複数の光電変換部101の配列の第1の列に係る第1の信号が出力されるのと同時に、第1の列に隣接する第2の列に係る信号電荷がリセットされる。このため、図6に示す動作よりも信号の読み出しを高速に行うことができる。
【０１４３】
また、図9に示す動作では、図7に示す動作と比較して、列の制御が簡単になる。このため、図7に示す動作を行う固体撮像装置100Cと比較して、水平選択部112の回路構成を簡単にすることができる。
【０１４４】
（第4の実施形態）
次に、本発明の第4の実施形態を説明する。図10は、本実施形態による固体撮像装置100Eの構成例を示している。図10に示すように、固体撮像装置100Eは、光電変換部101と、第1の転送部102と、第1の蓄積部103と、第2の転送部104と、第2の蓄積部105と、リセット部106と、増幅部107と、選択部108と、出力スイッチ110と、I-V変換部111と、水平選択部112と、垂直選択部113とを有する。
【０１４５】
以下では、図8に示す固体撮像装置100Dと図10に示す固体撮像装置100Eとの相違点を説明する。固体撮像装置100Eでは、第1の蓄積部103は、複数の光電変換部101のうち列方向（垂直方向）に隣接する2つの光電変換部101に共通に対応して配置された容量として構成されている。また、第2の転送部104は、複数の光電変換部101のうち列方向に隣接する2つの光電変換部101に共通に対応して配置されたトランジスタとして構成されている。つまり、固体撮像装置100Eでは、第1の蓄積部103と、第2の転送部104と、第2の蓄積部105と、リセット部106と、増幅部107と、選択部108とが、1行目の画素と、その画素に対して列方向に隣接する2行目の画素とで共有されている。
【０１４６】
第2の転送部104の動作は、水平選択部112から第2の転送部104のゲートに供給される制御信号である第2の転送パルスΦTXHによって制御される。図10では、代表として、1行m列目と2行m列目とに対応する第2の転送部104に供給される第2の転送パルスΦTXHmが示されている。上記以外の構成については、固体撮像装置100Dと同様である。
【０１４７】
次に、固体撮像装置100Eの動作を説明する。図11は、固体撮像装置100Eの動作例を示している。図11では、電源電圧VDDと、出力パルスΦV1と、第1の転送パルスΦTXV1と、第1の転送パルスΦTXV2と、選択パルスΦHSELm-1と、選択パルスΦHSELmと、第2の転送パルスΦTXHmと、I-V変換部111から出力される信号Vsigとの波形が示されている。図11の横方向が時間を示し、図11の縦方向が電圧を示している。
【０１４８】
以下では、図9に示す動作との相違点を説明する。タイミングt4とタイミングt5とにおいて、図9における第2の転送パルスΦTXHm(1)の代わりに第2の転送パルスΦTXHmによって、1行m列目と2行m列目とに対応する第2の転送部104の動作が制御される。また、タイミングt11とタイミングt12とにおいて、図9における第2の転送パルスΦTXHm(2)の代わりに第2の転送パルスΦTXHmによって、1行m列目と2行m列目とに対応する第2の転送部104の動作が制御される。上記以外の動作については、図9に示す動作と同様である。
【０１４９】
固体撮像装置100Eにおける構成のうち、出力スイッチ110とI-V変換部111とは、固体撮像装置100Eの特徴的な効果を得るために必須の構成ではない。
【０１５０】
本実施形態では、複数の光電変換部101の配列の同一の列について、リセットレベルの第1の信号を読み出した直後に、信号レベルの第2の信号を読み出すことが可能である。このため、電源電圧VDDの低周波での変動によるノイズを低減することができる。また、列方向に隣接する2つの画素で一部の構成が共有されるので、回路面積を低減することができる。さらに、図8に示す固体撮像装置100Dと比較して、回路面積をより低減することができる。
【０１５１】
（第5の実施形態）
次に、本発明の第5の実施形態を説明する。図12は、本実施形態による固体撮像装置100Fの構成例を示している。図12に示すように、固体撮像装置100Fは、光電変換部101と、第1の転送部102と、第1の蓄積部103と、第2の転送部104と、第2の蓄積部105と、リセット部106と、増幅部107と、選択部108と、出力スイッチ110と、I-V変換部111と、水平選択部112と、垂直選択部113とを有する。
【０１５２】
以下では、図1に示す固体撮像装置100Aと図12に示す固体撮像装置100Fとの相違点を説明する。固体撮像装置100Fでは、第2の蓄積部105は、複数の光電変換部101のうち行方向（水平方向）および列方向（垂直方向）に隣接する4つの光電変換部101に共通に対応して配置された容量として構成されている。また、リセット部106と、増幅部107と、選択部108とは、複数の光電変換部101のうち行方向および列方向に隣接する4つの光電変換部101に共通に対応して配置されたトランジスタとして構成されている。つまり、固体撮像装置100Fでは、第2の蓄積部105と、リセット部106と、増幅部107と、選択部108とが、行方向および列方向に隣接する4つの画素で共有されている。
【０１５３】
リセット部106の動作は、垂直選択部113からリセット部106のゲートに供給される制御信号であるリセットパルスΦRSTVによって制御される。図12では、代表として、1行目と2行目とに対応するリセット部106に供給されるリセットパルスΦRSTV1が示されている。
【０１５４】
第2の転送部104の動作は、水平選択部112から第2の転送部104のゲートに供給される制御信号である第2の転送パルスΦTXHによって制御される。図12では、代表として、1行m列目の第2の転送部104に供給される第2の転送パルスΦTXHm(1)と、2行m列目の第2の転送部104に供給される第2の転送パルスΦTXHm(2)と、1行m+1列目の第2の転送部104に供給される第2の転送パルスΦTXHm+1(1)と、2行m+1列目の第2の転送部104に供給される第2の転送パルスΦTXHm+1(2)とが示されている。
【０１５５】
出力信号線109は、2行ごとに、すなわち1行おきに配置されている。上記以外の構成については、固体撮像装置100Aと同様である。
【０１５６】
次に、固体撮像装置100Eの動作を説明する。図13は、固体撮像装置100Eの動作例を示している。図13では、電源電圧VDDと、出力パルスΦV1と、第1の転送パルスΦTXV1と、第1の転送パルスΦTXV2と、リセットパルスΦRSTV1と、選択パルスΦHSELmと、第2の転送パルスΦTXHm(1)と、第2の転送パルスΦTXHm+1(1)と、第2の転送パルスΦTXHm(2)と、第2の転送パルスΦTXHm+1(2)と、I-V変換部111から出力される信号Vsigとの波形が示されている。図13の横方向が時間を示し、図13の縦方向が電圧を示している。
【０１５７】
（タイミングt1）
出力パルスΦV1がLowからHighに変化することによって、出力スイッチ110を構成する複数のトランジスタのうち1行目と2行目とに対応するトランジスタがON状態となる。同時に、第1の転送パルスΦTXV1がLowからHighに変化することによって、1行目の全ての第1の転送部102がON状態となる。これによって、1行目の全ての光電変換部101から第1の蓄積部103に信号電荷が転送される。
【０１５８】
その後、タイミングt1とタイミングt2との間のタイミングで、第1の転送パルスΦTXV1がHighからLowに変化することによって、1行目の全ての第1の転送部102がOFF状態となる。
【０１５９】
（タイミングt2）
リセットパルスΦRSTV1がLowからHighに変化することによって、1行目と2行目とに対応する全てのリセット部106がON状態となる。これによって、1行目と2行目とに対応する全ての第2の蓄積部105に蓄積されている信号電荷がリセットされる。同時に、選択パルスΦHSELmがLowからHighに変化することによって、m列目とm+1列目とに対応する選択部108がON状態となる。
【０１６０】
（タイミングt3）
リセットパルスΦRSTV1がHighからLowに変化することによって、1行目と2行目とに対応する全てのリセット部106がOFF状態となる。m列目とm+1列目とに対応する選択部108がON状態であるため、リセットレベルの信号が、1行目と2行目とに対応する出力信号線109に出力される。この信号に基づく電流がI-V変換部111で電圧に変換される。I-V変換部111は、1行m列目のリセットレベルに対応する信号Vsigを出力する。
【０１６１】
（タイミングt4）
第2の転送パルスΦTXHm(1)がLowからHighに変化することによって、1行m列目の第2の転送部104がON状態となる。これによって、1行m列目の第1の蓄積部103の電位と、1行目および2行目のm列目およびm+1列目に対応する第2の蓄積部105の電位とが同一となる。つまり、第1の蓄積部103に蓄積されている信号電荷が第2の蓄積部105に転送される。
【０１６２】
（タイミングt5）
第2の転送パルスΦTXHm(1)がHighからLowに変化することによって、1行m列目の第2の転送部104がOFF状態となる。これによって、信号レベルの信号が、1行目と2行目とに対応する出力信号線109に出力される。この信号に基づく電流がI-V変換部111で電圧に変換される。I-V変換部111は、1行m列目の信号レベルに対応する信号Vsigを出力する。
【０１６３】
（タイミングt6）
リセットパルスΦRSTV1がLowからHighに変化することによって、1行目と2行目とに対応する全てのリセット部106がON状態となる。これによって、1行目と2行目とに対応する全ての第2の蓄積部105に蓄積されている信号電荷がリセットされる。
【０１６４】
（タイミングt7）
リセットパルスΦRSTV1がHighからLowに変化することによって、1行目と2行目とに対応する全てのリセット部106がOFF状態となる。m列目とm+1列目とに対応する選択部108がON状態であるため、リセットレベルの信号が、1行目と2行目とに対応する出力信号線109に出力される。この信号に基づく電流がI-V変換部111で電圧に変換される。I-V変換部111は、1行m+1列目のリセットレベルに対応する信号Vsigを出力する。
【０１６５】
（タイミングt8）
第2の転送パルスΦTXHm+1(1)がLowからHighに変化することによって、1行m+1列目の第2の転送部104がON状態となる。これによって、1行m+1列目の第1の蓄積部103の電位と、1行目および2行目のm列目およびm+1列目に対応する第2の蓄積部105の電位とが同一となる。つまり、第1の蓄積部103に蓄積されている信号電荷が第2の蓄積部105に転送される。
【０１６６】
（タイミングt9）
第2の転送パルスΦTXHm+1(1)がHighからLowに変化することによって、1行m+1列目の第2の転送部104がOFF状態となる。これによって、信号レベルの信号が、1行目と2行目とに対応する出力信号線109に出力される。この信号に基づく電流がI-V変換部111で電圧に変換される。I-V変換部111は、1行m+1列目の信号レベルに対応する信号Vsigを出力する。
【０１６７】
（タイミングt10）
選択パルスΦHSELmがHighからLowに変化することによって、m列目とm+1列目とに対応する選択部108がOFF状態となる。これによって、m列目とm+1列目との信号の読み出しが終了する。
【０１６８】
続いて、m+2列目とm+3列目との信号の読み出しが行われる。m+2列目とm+3列目との信号の読み出しはm列目とm+1列目との信号の読み出しと同様である。つまり、m+2列目とm+3列目とについて、タイミングt2からタイミングt10までの動作と同様の動作が行われる。同様に、1列ずつ信号の読み出しが行われる。図13に示す動作では、複数の光電変換部101の配列の第1の列に係る第1の信号と第2の信号とが出力された後、第1の列に隣接する第2の列に係る第1の信号と第2の信号とが出力される。
【０１６９】
1行目の全ての列に対して信号の読み出しが行われた後、出力パルスΦV1がHighからLowに変化することによって、出力スイッチ110を構成する複数のトランジスタのうち1行目と2行目とに対応するトランジスタがOFF状態となる。
【０１７０】
（タイミングt11）
出力パルスΦV1がLowからHighに変化することによって、出力スイッチ110を構成する複数のトランジスタのうち1行目と2行目とに対応するトランジスタがON状態となる。同時に、第1の転送パルスΦTXV2がLowからHighに変化することによって、2行目の全ての第1の転送部102がON状態となる。これによって、2行目の全ての光電変換部101から第1の蓄積部103に信号電荷が転送される。
【０１７１】
その後、タイミングt11とタイミングt12との間のタイミングで、第1の転送パルスΦTXV2がHighからLowに変化することによって、2行目の全ての第1の転送部102がOFF状態となる。
【０１７２】
（タイミングt12）
リセットパルスΦRSTV1がLowからHighに変化することによって、1行目と2行目とに対応する全てのリセット部106がON状態となる。これによって、1行目と2行目とに対応する全ての第2の蓄積部105に蓄積されている信号電荷がリセットされる。同時に、選択パルスΦHSELmがLowからHighに変化することによって、m列目とm+1列目とに対応する選択部108がON状態となる。
【０１７３】
（タイミングt13）
リセットパルスΦRSTV1がHighからLowに変化することによって、1行目と2行目とに対応する全てのリセット部106がOFF状態となる。m列目とm+1列目とに対応する選択部108がON状態であるため、リセットレベルの信号が、1行目と2行目とに対応する出力信号線109に出力される。この信号に基づく電流がI-V変換部111で電圧に変換される。I-V変換部111は、2行m列目のリセットレベルに対応する信号Vsigを出力する。
【０１７４】
（タイミングt14）
第2の転送パルスΦTXHm(2)がLowからHighに変化することによって、2行m列目の第2の転送部104がON状態となる。これによって、2行m列目の第1の蓄積部103の電位と、1行目および2行目のm列目およびm+1列目に対応する第2の蓄積部105の電位とが同一となる。つまり、第1の蓄積部103に蓄積されている信号電荷が第2の蓄積部105に転送される。
【０１７５】
（タイミングt15）
第2の転送パルスΦTXHm(2)がHighからLowに変化することによって、2行m列目の第2の転送部104がOFF状態となる。これによって、信号レベルの信号が、1行目と2行目とに対応する出力信号線109に出力される。この信号に基づく電流がI-V変換部111で電圧に変換される。I-V変換部111は、2行m列目の信号レベルに対応する信号Vsigを出力する。
【０１７６】
（タイミングt16）
リセットパルスΦRSTV1がLowからHighに変化することによって、1行目と2行目とに対応する全てのリセット部106がON状態となる。これによって、1行目と2行目とに対応する全ての第2の蓄積部105に蓄積されている信号電荷がリセットされる。
【０１７７】
（タイミングt17）
リセットパルスΦRSTV1がHighからLowに変化することによって、1行目と2行目とに対応する全てのリセット部106がOFF状態となる。m列目とm+1列目とに対応する選択部108がON状態であるため、リセットレベルの信号が、1行目と2行目とに対応する出力信号線109に出力される。この信号に基づく電流がI-V変換部111で電圧に変換される。I-V変換部111は、2行m+1列目のリセットレベルに対応する信号Vsigを出力する。
【０１７８】
（タイミングt18）
第2の転送パルスΦTXHm+1(2)がLowからHighに変化することによって、2行m+1列目の第2の転送部104がON状態となる。これによって、2行m+1列目の第1の蓄積部103の電位と、1行目および2行目のm列目およびm+1列目に対応する第2の蓄積部105の電位とが同一となる。つまり、第1の蓄積部103に蓄積されている信号電荷が第2の蓄積部105に転送される。
【０１７９】
（タイミングt19）
第2の転送パルスΦTXHm+1(2)がHighからLowに変化することによって、2行m+1列目の第2の転送部104がOFF状態となる。これによって、信号レベルの信号が、1行目と2行目とに対応する出力信号線109に出力される。この信号に基づく電流がI-V変換部111で電圧に変換される。I-V変換部111は、2行m+1列目の信号レベルに対応する信号Vsigを出力する。
【０１８０】
（タイミングt20）
選択パルスΦHSELmがHighからLowに変化することによって、m列目とm+1列目とに対応する選択部108がOFF状態となる。これによって、m列目とm+1列目との信号の読み出しが終了する。
【０１８１】
続いて、m+2列目とm+3列目との信号の読み出しが行われる。m+2列目とm+3列目との信号の読み出しはm列目とm+1列目との信号の読み出しと同様である。つまり、m+2列目とm+3列目とについて、タイミングt12からタイミングt20までの動作と同様の動作が行われる。同様に、1列ずつ信号の読み出しが行われる。
【０１８２】
2行目の全ての列に対して信号の読み出しが行われた後、3行目の各列に対して信号の読み出しが行われる。以降は、複数の光電変換部101の配列の行ごとに上記と同様の動作が行われる。
【０１８３】
図7に示す動作と同様に、1つの行の偶数列のリセットレベルの第1の信号と信号レベルの第2の信号とを読み出した後、同じ行の奇数列の第1の信号と第2の信号とを読み出してもよい。また、1つの行の奇数列の第1の信号と第2の信号とを読み出した後、同じ行の偶数列の第1の信号と第2の信号とを読み出してもよい。これによって、図13に示す動作よりも信号の読み出しを高速に行うことができる。
【０１８４】
固体撮像装置100Fにおける構成のうち、出力スイッチ110とI-V変換部111とは、固体撮像装置100Fの特徴的な効果を得るために必須の構成ではない。
【０１８５】
本実施形態では、複数の光電変換部101の配列の同一の列について、リセットレベルの第1の信号を読み出した直後に、信号レベルの第2の信号を読み出すことが可能である。このため、電源電圧VDDの低周波での変動によるノイズを低減することができる。また、行方向および列方向に隣接する4つの画素で一部の構成が共有されるので、回路面積を低減することができる。
【０１８６】
（第6の実施形態）
次に、本発明の第6の実施形態を説明する。図14は、本実施形態による内視鏡装置2000の構成例を示している。図14に示すように、内視鏡装置2000は、スコープ202と筐体207とを有する。
【０１８７】
スコープ202は、レンズ203と、レンズ204と、固体撮像装置205と、ファイバー206と、ケーブル210とを有する。レンズ203は、被写体201からの反射光を固体撮像装置205に結像する。レンズ204は、被写体201に照明光を照射する。固体撮像装置205は、第1から第5の実施形態のいずれかによる固体撮像装置である。ファイバー206は被写体201への照明光を伝送する。ケーブル210は、固体撮像装置205に電源電圧、クロックなどの入力信号を供給する細径のケーブルと、固体撮像装置205から出力された信号を画像処理部208に伝える細径のケーブルとを有する。
【０１８８】
筐体207は、画像処理部208と光源装置209とを有する。画像処理部208は、固体撮像装置205から出力される信号に所定の処理を行い、撮影画像を生成する。光源装置209は、被写体に照射する照明光を生成する光源を備える。
【０１８９】
本実施形態によれば、第1から第5の実施形態のいずれかによる固体撮像装置205を備える内視鏡装置2000が構成される。
【０１９０】
本実施形態では、内視鏡装置2000の内部の電源電圧VDDの低周波での変動によるノイズを低減することができる。
【０１９１】
（第1から第5の実施形態に共通で適用可能な変形例）
次に、第1から第5の実施形態に共通で適用可能な変形例を説明する。第1から第5の実施形態では、信号読み出し方式は電流読み出し方式である。信号読み出し方式は他の方式であってもよい。例えば、信号読み出し方式は電圧読み出し方式であってもよい。しかし、電圧読み出し方式の場合、ソースフォロアなどのバッファを出力信号線に設ける必要があり、回路面積および消費電流が増加する。このため、電流読み出し方式の方が好ましい。
【０１９２】
また、第1から第5の実施形態における第1の蓄積部103と第2の蓄積部105とは、浮遊拡散領域からなる容量であってもよい。
【０１９３】
以上、図面を参照して本発明の実施形態について詳述してきたが、具体的な構成は上記の実施形態に限られるものではなく、本発明の要旨を逸脱しない範囲の設計変更等も含まれる。
【符号の説明】
【０１９４】
100A，100B，100C，100D，100E，205  固体撮像装置
101  光電変換部
102  第1の転送部
103  第1の蓄積部
104  第2の転送部
105  第2の蓄積部
106  リセット部
107  増幅部
108  選択部
109  出力信号線
110  出力スイッチ
111  I-V変換部
112  水平選択部
113  垂直選択部
114  転送部
202  スコープ
203，204  レンズ
206  ファイバー
207  筐体
208  画像処理部
209  光源装置
210  ケーブル
2000  内視鏡装置
【図１】
2015216458.tif 000003
【図２】
2015216458.tif 000004
【図３】
2015216458.tif 000005
【図４】
2015216458.tif 000006
【図５】
2015216458.tif 000007
【図６】
2015216458.tif 000008
【図７】
2015216458.tif 000009
【図８】
2015216458.tif 000010
【図９】
2015216458.tif 000011
【図１０】
2015216458.tif 000012
【図１１】
2015216458.tif 000013
【図１２】
2015216458.tif 000014
【図１３】
2015216458.tif 000015
【図１４】
2015216458.tif 000016
【図１５】
2015216458.tif 000017
【図１６】
2015216458.tif 000018
【図１７】
2015216458.tif 000019